(57)【要約】【課題】隣接遊技者からの足の投げ出しや視線等の干渉を防ぎ、遊技に伴う腕の疲労を緩和し、隣接遊技者からの煙草の煙が当該遊技者のブースに直接入り込むことを防止する等を構成することにより遊技に没頭することのできる遊技用ブースを提供するものである。【解決手段】隣接する遊技機間となる位置から下端を床、側端を遊技機側の部材に固定した腰壁の高さ前後の仕切り手段を前方へ突設させ、遊技機と椅子及び仕切り手段とによって１個の遊技機用空間を構成したことを特徴とする遊技機用ブース。【選択図】図８
0003136432.tif 000002
【実用新案登録請求の範囲】
【請求項１】
隣接する遊技機間となる位置から下端を床、側端を遊技機側の部材に固定した腰壁の高さ前後の仕切り手段を前方へ突設させ、遊技機と椅子及び仕切り手段とによって１個の遊技機用空間を構成したことを特徴とする遊技機用ブース。
【請求項２】
仕切り手段のブース側となる上方部に遊技者用肘掛部を突設したことを特徴とする請求項１記載の遊技機用ブース。
【請求項３】
仕切り手段を、板状部材で形成したことを特徴とする請求項１又は２記載の遊技機用ブース。
【請求項４】
板状部材の前方への突出幅を、床側を小さく、肘掛部側を大きく形成したことを特徴とする請求項３記載の遊技機用ブース。
【請求項５】
仕切り手段を、棒状の骨組部材で形成したことを特徴とする請求項１又は２記載の遊技機用ブース。
【請求項６】
骨組部材を、柱となる垂直部材及び肘掛部を支持する水平部材並びに該柱と水平部材とを連結する方杖部材とで形成してなることを特徴とする請求項５記載の遊技機用ブース。
【請求項７】
方杖部材を補強する別途補強斜材を柱と水平部材間に設けてなることを特徴とする請求項６記載の遊技機用ブース。
【請求項８】
仕切り手段の上端に、少なくとも椅子に着座した遊技者の頭を隠蔽するに十分な高さとなる間仕切板を固定したことを特徴とする請求項１乃至７のいずれか記載の遊技機用ブース。
【考案の詳細な説明】
【技術分野】
【０００１】
本考案は、パチンコ機、パチスロ機或いはその他各種ゲーム機等の遊技機を操作する遊技者のための遊技機用ブースに関する。
【背景技術】
【０００２】
従来より、パチンコ機、パチスロ機或いはその他各種ゲーム機等は、当該遊技機が並べられた連続状態で設置されており、各遊技者は隣接する遊技機の遊技者との間に何等の仕切りのない開放された空間において遊技に興じている。その結果、隣接する遊技者から自分の領域となる側へ足が投げ出されてきたり、椅子が近付いてきたりして干渉されることが多かった。
【０００３】
また、遊技機を長時間連続的に操作することにより腕に疲労を感じることも多かった。
【０００４】
更に、隣接遊技者が喫煙者の場合、煙草の煙が自分の遊技領域に直接流れ込み、身体にとって有害な煙を吸い込みながらの状態で遊技に興じなければならなかったし、遊技者によっては煙の臭いも気になるところであった。
【０００５】
また、隣接遊技者の視線を感じ、遊技に没頭することができない落ち着かない状態での遊技となることも多かった。
【０００６】
上記事項を考慮し、他者からの足の投げ出しや視線等を防止する手段として、特許文献１のように、遊技者の背面及び側面側をシールド板により囲繞し、遊技者の動きが他の遊技者に影響を与えないように拘束するものがあった。
【０００７】
また、特許文献２に示すように、遊技機側となる間柱に穿設された肘掛収納部に肘掛けが収納配置され、必要時に当該肘掛けを回動突出させて使用する回動自在の肘掛け手段が知られている。
【０００８】
更に、煙草の煙は、遊技者の手元や遊技機前面に配置されている灰皿或いは遊技者から直接吐き出される頭部位置等から排出されるため、遊技場の天井面に多くの空調設備の吸気口を設置したり、特許文献３のように、喫煙用灰皿の近傍に周囲の空気を吸い込む吸煙浄化装置等を設けて煙を排出する手段が知られている。
【０００９】
また、上記した特許文献２のように、複数台併設された遊技機間の間柱に前方へ突出するシールド板を設け、煙草の煙を上方へ誘導することも考えられている。
【特許文献１】特開２００７−９７６７７号公報
【特許文献２】特開２００７−１４４１２０号公報
【特許文献３】特開２００５−８７４３９号公報
【考案の開示】
【考案が解決しようとする課題】
【００１０】
遊技機の一つ一つを閉鎖された空間とするべく間仕切りによって取り囲んだり、椅子等の背面及び側面を囲むことにより隣接者からの干渉を防止する手段は、設備が大掛かりとなって経済的でなく、且つ遊技者に圧迫感を与え、遊技施設になじむものではなかった。
【００１１】
また、回動式の肘掛け手段は、回動軸の支持負担が大きく、更に、遊戯者の乱暴な使い方により、破損し易いものであった。
【００１２】
また、上記のように排煙のために天井面に多くの吸気口を設ける手段は、多くのダクト工事が必要で、また、ファン等の吸気装置を増設する必要があった。また、吸気口が設置される天井面は高く、当該位置へたどりつくまでに煙が隣接側となる水平方向へ拡散し、隣接遊技者へ直接的な影響を与え、特に、喫煙しない遊技者にとっては耐え難い状態となることも多く、効果的な対策とはなっていなかった。
【００１３】
更に、吸煙浄化装置の場合は、煙によるヤニがフィルタに付着し、その浄化のためにフィルタを頻繁に取り換える必要があり、メンテナンスがたいへんであった。
【課題を解決するための手段】
【００１４】
本考案は、上記欠点を解決したもので、隣接遊技者からの足の投げ出しや視線等の干渉を防ぎ、煙草の煙が当該遊技者のブースに直接入り込むことを少なくし、且つ、腕の疲労を緩和しながら遊技に没頭することのできる遊技機用ブースを提供するものである。
具体的な構成として、隣接する遊技機間となる位置から下端を床、側端を遊技機側の部材に固定した腰壁の高さ前後の仕切り手段を前方へ突設させ、遊技機と椅子及び仕切り手段とによって１個の遊技機用空間を構成した遊技機用ブースを特徴とする。
【００１５】
また、仕切り手段のブース側となる上方部に遊技者用肘掛部を突設した遊技機用ブースを特徴とする。
【００１６】
更に、仕切り手段を、板状部材で形成した遊技機用ブースを特徴とする。
【００１７】
また、上記仕切り手段となる板状部材の前方への突出幅を、床側を小さく、肘掛部側を大きく形成した遊技機用ブースを特徴とする。
【００１８】
更に、仕切り手段を、棒状の骨組部材で形成した遊技機用ブースを特徴とする。
【００１９】
また、骨組部材を、柱となる垂直部材及び肘掛部を支持する水平部材並びに該柱と水平部材とを連結する方杖部材とで形成してなる遊技機用ブースを特徴とする。
【００２０】
更に、方杖部材を補強する別途補強斜材を柱と水平部材間に設けてなる遊技機用ブースを特徴とする。
【００２１】
また、仕切り手段の上端に、少なくとも椅子に着座した遊技者の頭を隠蔽するに十分な高さとなる間仕切板を固定した遊技機用ブースを特徴とする。
【考案の効果】
【００２２】
本考案の請求項１の簡便な仕切り手段により、遊技者は開放状態で遊技に興じることを維持したままで、隣接遊技者からの足の投げ出し等の干渉を防止することができ、落ち着いた遊技空間を形成することが可能となった。
【００２３】
また、本考案の請求項２により、仕切り手段を利用して肘掛部を形成することができ、個人差によって肘の当接位置が異なることに対応できる十分な長さと、肘から強い力が作用してもそれに十分耐えられる強度のある肘掛けを得ることが可能となった。
【００２４】
更に、本考案の請求項３乃至７により、簡便で強度のある仕切り手段を得ることが可能となった。
【００２５】
また、本考案の請求項８により、隣接者からの煙草の煙を直接吸い込むことを少なくすることが可能となった。
【考案を実施するための最良の形態】
【００２６】
以下、図面を参照して本考案を実施するための最良の一形態を説明する。
【実施例１】
【００２７】
図１は、本考案の遊技機用ブースを構成する遊技機と隣接遊技機との間に設置された仕切り手段となる仕切板１を隣接ブース側から見た側面図を示し、図２は、遊技機用ブース側から見た仕切り手段となる仕切板１の斜視図を示している。該仕切板１は、遊技機２の前面に設けられた膳板３の先端縁部４に上方側縁を固定し、下端を床５へ固定し、該遊技機２に対し直交方向前方へ突出設置している。
【００２８】
該仕切板１は、前方への突出幅を床５側を幅狭く、上部側を幅広に形成し、両者間を斜めに切除した台形状の板体により連結した板状としたもので、上方側の側端６を取着金具により該膳板３の先端縁部４と固定し、下端７を取着金具によりホールの床５に固定することにより遊技機間前方へ突設した状態で立設配置される。
【００２９】
上記仕切板１は、椅子或いは遊技者の遊技状態等を考慮し、その高さは７００〜１０００ｍｍ、幅は幅広箇所で４００〜６００ｍｍ、幅狭箇所で１５０〜３００ｍｍ程度とする。実施例のものは高さ約７５０ｍｍ、幅は長手方向で約４００ｍｍ、短手方向で約２００ｍｍとしている。
【００３０】
該仕切板１と膳板３との取り付け固定は、膳板３に直接取着しても良いし、膳板３に取着した補強板に取着金具を介してビスを打ち込み、或いは螺着することにより取着施工することができる。他方、仕切板１と床５との取り付けは、取着金具を介してビス等を打ち込み、或いは螺着固定する。固定手段は特に限定するものではない。
【００３１】
該仕切板１は、図２に示すように、遊技機前面の灰皿の設置位置より下方となる高さの仕切板１に適数個の通気孔８を設け、それにより隣接間の通気性を良好とすることができる。
【００３２】
また、該仕切板１の固定を強固とするために、該仕切板１の側端６の中間部と遊技機２の架台腰板との間に補強板９を設けることも可能である。
【実施例２】
【００３３】
本実施例２は、図３、図４に示すように、仕切板１１の上端側側面部に肘掛部１２を取着した実施例である。該仕切板１１の上端部に横及び縦方向のフレームにより矩形状の骨組１３を形成し、該骨組１３にアングル材等の鋼材１４を骨組１３の側面から遊技者側へ突出するように取り付け、該鋼材１４に肘掛部１２のベース板１５を取着し、該ベース板１５を囲むようにして弾力性のある合成樹脂材やその他の柔軟材等のクッション材を設け、該クッション材を皮や合成皮革等の被覆体１６で覆ってなるものである。
【００３４】
上記構成により、遊技者は使用する側の腕を肘掛部１２に支持させながら楽な姿勢で遊技に没頭することが可能となる。
【実施例３】
【００３５】
図５は、他の実施例の遊技用ブースにおける仕切り手段となる仕切材２１を示している。該仕切材２１は、膳板３´の先端縁部４´に上部側が固定され、下端部が床５´に固定された柱部材２２と、該柱部材２２に対し直交方向に延出する水平部材２３及び該柱部材２２と該水平部材２３とを連結する斜め方向前方へ傾斜配設した方杖部材２４とで形成している。
【００３６】
また、水平部材２３に大きな荷重が作用した場合、該方杖部材２４のみでは構造上、強度が不十分となることを考慮し、該柱部材２２の先端部と水平部材２３の先端間に別途補強斜材２５を設け、水平部材２３を補強する。上記方杖部材２４と補強斜材２５は柱部材２２と水平部材２３の両者間を適宜角度の斜材として連結固定する。該方杖部材２４の一端が柱部材２２の床５´と接する位置或いはその近接位置から延出している場合を含め、様々な位置から様々な角度のものが選択できる。また、該方杖部材２４と補強斜材２５とを相互に連結する他の部材を設けることによリ一層の補強を図ることができる。上記方杖部材２４により隣接する遊技者から投げ出された脚部が自分の遊技機用ブース内に入り込むことを防止することができる。特に有効な形状として、該方杖部材２４を外方へ膨出させた湾曲形状としても良い。
【実施例４】
【００３７】
図６に示す仕切材２１´は、上記実施例３の水平部材２３に実施例２と同様、肘掛部２６を設けたものである。該肘掛部２６は、骨組となる水平部材２３を囲むようにして弾力性のある合成樹脂材やその他の柔軟材等のクッション材を配置し、該クッション材を皮や合成皮革等の被覆体２７で被覆することにより構成するものである。
【００３８】
上記実施例３と同様の方杖部材２４´により補強しているが、場合によっては別途補強斜材２５´を追加することによって強度のある肘掛部２６を得ることができる。
【実施例５】
【００３９】
図７は、上記実施例１に示すのと同様の仕切板３１に加え、該仕切板３１の上部側に煙遮蔽板３２を設けた実施例である。該煙遮蔽板３２は、ガラス或いはアクリル板等を使用し、透明、半透明或いは着色した板状体のもので、上端前方側には曲縁部３３を設け、下端縁部３４は段部として形成している。
【００４０】
上記仕切板３１の上端縁部３５及び背面側上端縁部３６に溝を形成し、上記溝に煙遮蔽板３２の段部を形成する下端縁部３４を挿入固定することにより両者を一体化することができる。
【００４１】
上記煙遮蔽板３２の下端縁部３４は段部として形成し、図７に示すように、遊技機２側は膳板３上に配置させている。従って、膳板３上の煙遮蔽板３２は、凸状の隙間閉鎖板３７として形成され、該煙遮蔽板３２によって膳板３上の遊技機２と該遊技機２に隣接する他の遊技機２間を閉鎖するように形成している。
【実施例６】
【００４２】
図８は、上記図３、図４の実施例に示すのと同様の肘掛部を設けた仕切板４１に、煙遮蔽板４２を固定したものである。該煙遮蔽板４２は、上記実施例５と同様の材料で、上端前方側に曲縁部４３、下端縁部４４は段部として形成している。
【００４３】
上記仕切板４１の上端縁部４５及び背面側上端縁部４６の溝に、上記煙遮蔽板４２の下端縁部４４を挿入固定する。４７は凸状の隙間閉鎖板である。その他の構成は実施例５と同様である。
【図面の簡単な説明】
【００４４】
【図１】本考案の遊技機用ブースの側面図。
【図２】本考案の遊技機用ブースの仕切手段の斜視図。
【図３】本考案の遊技機用ブースの他の実施例の側面図及び一部正面図。
【図４】本考案の遊技機用ブースの仕切手段の他の実施例の斜視図。
【図５】本考案の遊技機用ブースの仕切手段の他の実施例の側面図及び平面図。
【図６】本考案の遊技機用ブースの仕切手段の他の実施例の斜視図。
【図７】本考案の遊技機用ブースの仕切手段と煙遮蔽板とを組み合わせた側面図及び一部正面図。
【図８】本考案の遊技機用ブースの仕切手段、肘掛部及び煙遮蔽板とを組み合わせた側面図及び一部正面図。
【符号の説明】
【００４５】
１、１１、３１、４１  仕切板
２                    遊技機
３、３´              膳板
４、４´              先端縁部
５、５´              床
６                    側端
７                    下端
８                    通気孔
９                    補強板
１２、２６              肘掛部
１３                    骨組
１４                    鋼材
１５                    ベース板
１６、２７              被覆体
２１、２１´            仕切材
２２                    柱部材
２３                    水平部材
２４、２４´            方杖部材
２５、２５´            補強斜材
３２、４２              煙遮蔽板
３３、４３              曲縁部
３４、４４              下端縁部
３５、４５              上端縁部
３６、４６              背面側上端縁部
３７、４７              隙間閉鎖板
【図１】
0003136432.tif 000003
【図２】
0003136432.tif 000004
【図３】
0003136432.tif 000005
【図４】
0003136432.tif 000006
【図５】
0003136432.tif 000007
【図６】
0003136432.tif 000008
【図７】
0003136432.tif 000009
【図８】
0003136432.tif 000010